(57)【特許請求の範囲】
【請求項１】
扉に設けた受け部及び落とし棒と、ホルダとを備え、受け部は、落とし棒を摺動自在に保持すると共に係止部を有し、係止部の下方に、上方ほど落とし棒側に突設して係止部に連続する傾斜面が形成してあり、落とし棒には側面に開口する穴が形成してあり、ホルダは、落とし棒の側面の穴に装着してあり、玉と、玉を落とし棒の側面から突出する方向に付勢するばねを収納していると共に受け部側に開口を形成してあり、ホルダの開口は玉の直径より径が小さくしてあることで、玉の先端がホルダの開口から突出しており、傾斜面より下方には玉の先端に当接する部分が設けられておらず、玉が傾斜面の下端から上端に向けて徐々に押し戻されて係止部に導かれ、ホルダの玉を受け部の係止部にばねで押圧して、落とし棒の下降を規制していることを特徴とする扉。
【請求項２】
扉に設けた受け部及び落とし棒と、ホルダとを備え、受け部は、落とし棒を摺動自在に保持すると共に係止部を有し、落とし棒は、中空材であり、側面に受け部側に開口する穴が形成してあり、ホルダは、落とし棒の側面の穴から中空内に挿入して固定した円筒形状のホルダ本体を有し、ホルダ本体は、玉と、玉を落とし棒の側面から突出する方向に付勢するばねを収納する収納部を有すると共に受け部側に開口を形成してあり、受け部側の開口と反対側の開口を閉鎖部材で塞いであり、ホルダの開口は玉の直径より径が小さくしてあり、ホルダの玉を受け部の係止部にばねで押圧して、落とし棒の下降を規制していることを特徴とする扉。
【発明の詳細な説明】
【技術分野】
【０００１】
本発明は、扉に関する。
【背景技術】
【０００２】
特許文献１には、扉に設けたばねと、扉に上下動自在に設けた棒部材（落とし棒）を備え、棒部材には側面に係止部が形成してあり、棒部材の係止部がばねに係止することで、棒部材の下降を規制することが開示されている。
【先行技術文献】
【特許文献】
【０００３】
【特許文献１】実用新案登録第３０８５７２２号公報
【発明の概要】
【発明が解決しようとする課題】
【０００４】
しかし、扉の左右勝手が異なる場合に、ばねと落とし棒を扉の左右で付け替える必要があるが、上述の特許文献１の技術では、ばねの付け替えをするときに、同じ付勢力を得るためにばねを同じ状態で取り付ける必要があるから、付け替えに手間がかかるという問題があった。
【０００５】
そこで、本発明は、扉の左右勝手が異なる場合に落とし棒の付け替えが容易にできる扉の提供を目的とする。
【課題を解決するための手段】
【０００６】
請求項１に記載の発明は、扉に設けた受け部及び落とし棒と、ホルダとを備え、受け部は、落とし棒を摺動自在に保持すると共に係止部を有し、係止部の下方に、上方ほど落とし棒側に突設して係止部に連続する傾斜面が形成してあり、落とし棒には側面に開口する穴が形成してあり、ホルダは、落とし棒の側面の穴に装着してあり、玉と、玉を落とし棒の側面から突出する方向に付勢するばねを収納していると共に受け部側に開口を形成してあり、ホルダの開口は玉の直径より径が小さくしてあることで、玉の先端がホルダの開口から突出しており、傾斜面より下方には玉の先端に当接する部分が設けられておらず、玉が傾斜面の下端から上端に向けて徐々に押し戻されて係止部に導かれ、ホルダの玉を受け部の係止部にばねで押圧して、落とし棒の下降を規制していることを特徴とする扉である。
請求項２に記載の発明は、扉に設けた受け部及び落とし棒と、ホルダとを備え、受け部は、落とし棒を摺動自在に保持すると共に係止部を有し、落とし棒は、中空材であり、側面に受け部側に開口する穴が形成してあり、ホルダは、落とし棒の側面の穴から中空内に挿入して固定した円筒形状のホルダ本体を有し、ホルダ本体は、玉と、玉を落とし棒の側面から突出する方向に付勢するばねを収納する収納部を有すると共に受け部側に開口を形成してあり、受け部側の開口と反対側の開口を閉鎖部材で塞いであり、ホルダの開口は玉の直径より径が小さくしてあり、ホルダの玉を受け部の係止部にばねで押圧して、落とし棒の下降を規制していることを特徴とする扉である。
【発明の効果】
【０００７】
請求項１に記載の発明によれば、落とし棒には、玉とこれを付勢するばねとを内蔵したホルダを装着してあるので、左右勝手が異なる場合の付け替えは、受け部と落とし棒を付け替えるだけで済み、従来技術のようなばねの付け替えが不要であるから、左右勝手の付け替えが容易にできる。  
落とし棒の側面に穴を形成して、この穴に玉とばねを収納したホルダを装着することで、落とし棒にばねと玉を取り付けできるので、信頼性が高く安定な品質を保持でき、更に、玉とばねの取り付け、メンテナンスが容易である。  
玉を付勢するばねをホルダの中に収めてあり、扉には玉を受ける受け部を設けてあるから、受け部の取り付けが不十分でも、玉と受け部との係止を確実に行うことができる。
玉を係止部に当接しているので、係止部との当接を線で行うことができ、面で当接する場合に比較して、受け部との間の砂噛みを防止できる。  
【図面の簡単な説明】
【０００８】
【図１】本発明の実施の形態にかかる扉において、落とし棒が下降規制位置にあるときの縦断面図である。
【図２】本発明の実施の形態にかかる扉の家側を示す斜視図であり、（ａ）は落とし棒が下降規制位置にあるときの状態であり、（ｂ）は落とし棒が下降した状態にあるときの状態である。
【図３】落とし棒の図であり、（ａ）は一部を破断して示す側面図、（ｂ）は平面図である。
【図４】受け部の図であり、（ａ）は側面図、（ｂ）は平面図、（ｃ）は（ａ）に示すＡ−Ａ断面図である。
【図５】玉及びばねを収納したホルダの図であり、（ａ）は正面図、（ｂ）は平面図、（ｃ）は（ｂ）に示すＡ−Ａ断面図である。
【図６】ホルダ単体の図であり、（ａ）は正面図、（ｂ）は右側面図、（ｃ）は左側面図、（ｄ）は平面図、（ｅ）は（ｂ）に示すＢ−Ｂ断面図、（ｆ）は（ｂ）に示すＡ−Ａ断面図である。
【図７】落とし台座の図であり、（ａ）は側面図、（ｂ）平面図である。
【図８】落とし摘みの図であり、（ａ）は正面図、（ｂ）は左側面図、（ｃ）右側面図、（ｄ）は平面図、（ｅ）は（ｄ）に示すＡ−Ａ断面図である。
【図９】図１０に示す門扉において、左右勝手を変更する手順を示す斜視図である。
【図１０】本実施の形態に係る扉を用いた門扉の図であり、（ａ）は家側から見た正面図、（ｂ）は平面図、（ｃ）は戸当たり格子を抜き出して示す側面図である。
【発明を実施するための形態】
【０００９】
以下に、添付図面を参照して本発明の実施の形態を説明する。  
図１０に示すように、本発明の実施の形態にかかる扉１は、伸縮門扉３の扉であり、家側から見て右側に位置する右支柱５と左側に位置する左支柱７との間を開閉するものである。この実施の形態では、扉１は、複数のガイド格子９をパンタ部材１１でパンタグラフ状に組んであり、左支柱７に吊元格子１５を固定してあり、右支柱５側を戸当り格子１３としてあり、戸当たり格子１３を家側から見て左に移動して開く構成としてある。  
所定のガイド格子９の家側面には、受け部１７と、ホルダ２３（図１参照）を装着した落とし棒１９とが設けてあり、伸縮門扉３の設置面には、伸縮門扉の閉鎖位置で落とし棒１９を受ける嵌合穴部２１が設けてある。  
【００１０】
図１及び図２に示すように、受け部１７は、ガイド格子９の家側面（図１０参照）で上下方向の中間位置に取り付けてあり、図１及び図４に示すように、ガイド格子９に取り付ける台座２４と、落とし棒１９を摺動自在に保持する保持部２５と、係止部２７とを備えている。  
台座２４には、上部にねじ止め部２９が設けてあり、下端にガイド格子９に上から係合する係合部３１が設けてあり、図１に示すように、係合部３１をガイド格子９に形成した穴８（図１参照）に上から係合して、ねじ止め部２９をねじ３３でガイド格子９に固定してある。  
保持部２５は、上下方向の円筒形状を成しており、円筒の中空内に落とし棒１９を摺動自在に保持している。  
係止部２７は保持部２５の下方で台座２４に形成した貫通孔である。また、係止部２７の下方には上方ほど落とし棒１９側へ突設して係止部２７に連続する傾斜面２８が形成してある。  
【００１１】
図１及び図３に示すように、落とし棒１９は、円筒であり、下部には円筒の中空に充填部材３５を充填して中実にしてある。落とし棒１９の中間部には側面に開口する穴３７が形成してあり、この穴３７にホルダ２３が装着してある。  
図１及び図５に示すように、ホルダ２３は、ホルダ本体３９と、玉４１と、ばね４３とを備えている。  
図５及び図６に示すように、ホルダ本体３９は、落とし棒１９の側面に取り付ける取付部３９ａと、玉４１及びばね４３を収納する収納部３９ｂと、回転規制部３９ｄを有し、収納部３９ｂは落とし棒の穴３７から落とし棒１９の内部に挿入してある。収納部３９ｂは円筒形状であり、受け部１７側に開口３９ｃが形成してあり、開口３９ｃと反対側は閉鎖部材４７で塞いである。  
図５（ｃ）に示すように、開口３９ｃの直径Ｗは、玉４１の直径Ｌよりも小さくしてあり、収納部３９ｂには開口３９ｃ側に玉４１を配置し、閉鎖部材４７と玉４１との間にばね４３を配置して、ばね４３で玉４１を開口３９ｃ側に付勢してある。ばね４３はコイルばねである。  
図２、図５及び図６に示すように、回転規制部３９ｄは、ホルダ本体３９の取付部３９ａからガイド格子６側に突設して、ガイド格子９に上下方向を摺動自在に当接してあり、落とし棒１９の回転を規制している。  
【００１２】
図１及び図２に示すように、落とし棒１９を取り付けてあるガイド格子９の下端部には落とし台座５１が取り付けてあり、落とし棒１９の上端部１９ａには落とし摘み５３が取り付けてある。  
図１及び図７に示すように、落とし台座５１は、落とし棒１９を挿通して落とし棒１９の移動を案内する筒状の案内部５１ａと、ガイド格子９にねじ５４で固定する固定部５１ｂとが設けてある。  
図１及び図８に示すように、落とし摘み５３は、落とし棒１９の上端部１９ａに取り付けて、ねじ５６（図１参照）で固定してある。  
【００１３】
落とし棒１９へのホルダ２３の組み付け及び受け部１７の取り付けについて説明する。  
図１に示すように、ホルダ２３には、その収納部３９ｂにおいて閉鎖部材４７側の開口から玉４１、ばね４３をこの順序で挿入し、ばね４３の付勢力に抗して閉鎖部材４７を押し込んで止める。  
そして、玉４１及びばね４３を収納したホルダ２３の収納部３９ｂを落とし棒１９の側面に形成した穴３７に挿入し、ホルダ本体３９の取付部３９ａを落とし棒１９の側面にねじ５５で固定する。  
一方、受け部１７は、下端部に設けた係合部３１をガイド格子９の穴８に上から挿入して係合し、上端部に設けたねじ止め部２９をねじ３３でガイド格子９の家側にある一方の縦材９ａ（図１０（ｂ）参照）に固定する。  
【００１４】
次に、本実施の形態にかかる扉１における落とし棒１９の下降規制及び下降について説明する。  
図１及び図２（ａ）に示すように、落とし棒１９の下降を規制している状態にあるときには、図１に示すように、落とし棒１９に装着してあるホルダ２３では、ばね４３が玉４１を開口３９ｃ側へ常時付勢しており、玉４１は開口３９ｃから一部分４１ａを突出しており、その突出部分４１ａは、係止部２７に入り込んで係止される。これにより、落とし棒１９はその下降が規制される。  
図１及び図２（ｂ）に示すように、落とし棒１９を下降させるときには、落とし摘み５３を下方に押し込むことで、玉４１が係止部２７の縁に押され、ばね４３の付勢力に抗して閉鎖部材４７側へ移動し、係止部２７との係止が外れる。その後、落とし棒１９は自重で落下し、落とし棒１９の下端部が嵌合穴部２１に嵌合して、扉１のガイド格子９を固定する。  
一方、ガイド格子９の固定を解除する場合には、落とし摘み５３を手で引き上げる。これにより、落とし棒１９では、ホルダ２３の玉４１の一部分４１ａが側面から突出したままの状態で上方へ移動し、傾斜面２８に沿って移動すると玉４１の突出部分４１ａがばね４３の付勢力に抗して閉鎖部材４７側へ押し戻され、玉４１が係止部２７の位置に到達すると、ばね４３に押されて玉４１の突出部分４１ａが係止部２７の穴２７ａに入り込んで係止される。これにより、図１及び図２（ａ）に示すように、落とし棒１９の下降が規制されて、ガイド格子９の固定が解除される。  
【００１５】
次に、図９を参照して、伸縮門扉３における左右の開き勝手を変える場合の落とし棒１９、受け部１７及び落とし台座５１の付け替えについて説明する。落とし棒１９、受け部１７及び落とし台座５１は、図１０（ｂ）に示すガイド格子９の一方の縦材（家側の縦材）９ａから他方の縦材（道路側の縦材）９ｂに付け替えを行う。  
工程（１）では、ガイド格子９を寝かせた状態にして、ガイド格子９の一方の縦材９ａに取り付けてある落とし棒１９から落とし摘み５３を外す。  
次に、工程（２）で、落とし摘み５３を装着してあった上端部１９ａを落とし台座５１側へ移動するように落とし棒１９をスライドし、上端部１９ａを受け部１７から抜いたところで、受け部１７を止めているねじ３３を外して、受け部１７を外す。  
その後、工程（３）で落とし棒１９を、落とし摘み５３が装着してあった上端部１９ａが落とし台座５１から離れる方向にスライドさせ、落とし棒１９を落とし台座５１から引き抜く。  
次に、工程（４）で、ガイド格子９の格子キャップ９ａの爪５７、５７を互いに近づく方向（矢印Ｓ方向）に押しつつ、格子キャップ９ａを矢印Ｔ方向に押して、格子キャップ９ａを外す。  
そして、工程（５）で、落とし台座５１のねじ５４を緩めて、落とし台座５１を外す。
一方、落とし棒１９、落とし摘み５３及び落とし台座５１の他方の部材９ｂへの取り付けは、上述した工程（１）〜（５）を逆の手順で行う。  
【００１６】
次に、本実施の形態にかかる扉１の作用及び効果について説明する。  
図１に示すように、落とし棒１９には、玉４１と玉４１が落とし棒１９の側面から突出する側へ付勢するばね４３とを内蔵したホルダを装着してあるので、左右勝手が異なる場合の付け替えは、主として受け部１７と落とし棒１９を付け替えるだけで済み、従来技術のようなばねの付け替えが不要であるから、左右勝手の付け替えが容易にできる。  
図１及び図３に示すように、落とし棒１９の側面に穴３７を形成して、この穴３７に玉４１とばね４３を収納したホルダ２３を装着することで、落とし棒１９にばね４３と玉４１を取り付けできるので、信頼性が高く安定な品質を保持でき、更に、取り付け、メンテナンスが容易である。  
玉４１を付勢するばね４３をホルダ２３の中に収めてあり、ガイド格子（扉）９には玉４１を受ける受け部１７を設けてあるから、受け部１７の取り付けが不十分でも、玉４１と受け部１７との係止を確実に行うことができる。  
玉４１を受け部１７に当接しているので、受け部１７との当接を線で行うことができ、面で当接する場合に比較して、受け部１７との間の砂噛みを防止できる。  
【００１７】
受け部１７には、上方が穴２７ａの縁部に向けて突設するように傾斜する傾斜面２８が形成してあるので、落とし棒１９を引き上げたときに玉４１と受け部１７との係止をスムーズにできる。  
ホルダ２３には、収納部３９ｂを貫通孔にして閉鎖部材４７でホルダの開口３９ｃと反対側を閉鎖する構成であるから、収納部３９ｂにはホルダの開口３９ｃと反対側から玉４１及びばね４３を収納して閉鎖部材４７を取り付けるだけで、ホルダ２３に玉４１とばね４３を設けることができる。したがって、簡易な構成で且つ簡単にホルダ２３に玉４１とばね４３を組み付けできる。  
【００１８】
本発明は、上述した実施の形態に限らず、本発明の要旨を逸脱しない範囲で種々変形可能である。  
本発明にかかる扉１は、伸縮門扉の扉に限らず、開き門扉の扉、開き戸やドア等に設けるものであっても良い。  
上述した実施の形態において、落とし台座５１はなくとも良い。  
【符号の説明】
【００１９】
１    扉
１７  受け部
１９  落とし棒
２３  ホルダ
２７  係止部
３７  穴
３９ｃ  開口
４１  玉
４３  ばね
【図１】
0006511285.tif 000002
【図２】
0006511285.tif 000003
【図３】
0006511285.tif 000004
【図４】
0006511285.tif 000005
【図５】
0006511285.tif 000006
【図６】
0006511285.tif 000007
【図７】
0006511285.tif 000008
【図８】
0006511285.tif 000009
【図９】
0006511285.tif 000010
【図１０】
0006511285.tif 000011